(57)【要約】【課題】  収穫した作物の荷重で大きな機体のバランスの崩れを防止し、コンパクトな機体構成で大量の作物を収容できる農作物収穫機を提供することを課題とする。【解決手段】  機体一側部に作物Ｘを挟持搬送する収穫部Ｃを設け、該収穫部Ｃの後部下方位置に落下してくる作物Ｘを受けて他側部に搬送する第一搬送部Ｄを左右方向に設け、機体の他側部には傾斜角度を変更自在な第二搬送部Ｅと作物Ｘを収容する収容部Ｆと操縦部Ｂとを設け、該第二搬送部Ｅは後上り傾斜姿勢で前後方向に設け、搬送始端部を第一搬送部Ｄの搬送終端部から作物Ｘを受ける位置に配置し、該収容部Ｆは揺動機枠５９を回動軸６０ａを回動支点として揺動可能に本体機枠９に取り付け、該揺動機枠５９の下部に転輪６５を取り付けて構成し、第二搬送部Ｅの後方に配置して構成した農作物収穫機。【選択図】  図１
2008005812.tif 000002
【特許請求の範囲】
【請求項１】
機体下部に機体を前後進させる走行部（Ａ）を設け、機体の左右一側部に圃場から作物（Ｘ）を引き抜き斜め後上方に挟持搬送する収穫部（Ｃ）を設け、該収穫部（Ｃ）の後部下方位置に収穫部Ｃより落下してくる作物（Ｘ）を受けて左右他側部に搬送する第一搬送部（Ｄ）を機体左右方向に設け、機体の左右他側部に、伸縮部材（５２）の伸縮によって傾斜角度を変更自在な第二搬送部（Ｅ）と収穫された作物（Ｘ）を収容する収容部（Ｆ）と操縦部（Ｂ）とを設け、該第二搬送部（Ｅ）は後上り傾斜姿勢で機体前後方向に設け、その搬送始端部を第一搬送部（Ｄ）の搬送終端部から作物（Ｘ）を受け取れる位置に配置し、該収容部（Ｆ）は揺動機枠（５９）を回動軸（６０ａ）を回動支点として上下方向に揺動可能に本体機枠（９）に取り付け、該揺動機枠（５９）の下部に転輪（６５）を取り付けて構成し、第二搬送部（Ｅ）の後方に配置したことを特徴とする農作物収穫機。
【請求項２】
収容部（Ｆ）は揺動機枠（５９）に収容体（６３）を支持する支持台（６４）を左右回動軸（６２ａ，６２ａ）で回動自在に設け、該支持台（６４）を伸縮部材（６１）によって後方が下方傾斜する構成としたことを特徴とする請求項１記載の農作物収穫機。
【請求項３】
収穫部（Ｃ）の掘取挟持帯（１９，１９）の前後長さ（Ｌ１）を、収容部（Ｆ）の支持台（６４）の前後長さ（Ｌ２）よりも長くしたことを特徴とする請求項1又は２記載の農作物収穫機。
【請求項４】
支持台（６４）の後方を傾斜させると、第二搬送部（Ｅ）の搬送装置（５０）の動作を停止させる停止部材（６７）を設けたことを特徴とする請求項２又は３記載の農作物収穫機。
【発明の詳細な説明】
【技術分野】
【０００１】
本発明は、根菜類などの作物を圃場から収穫する農作物収穫機に関するものである。
【背景技術】
【０００２】
従来の農作物収穫機では、特許文献１に示されるように、機体の左右一側部に収穫した作物を収容する収容袋を設置するための収容部を設ける技術や、収容部の支持台を前傾させて、作物を満載した収容袋の排出や別の収容袋への交換を容易にする技術がある。
【０００３】
また、特許文献２に示されるように、機体後部に収容部を設ける技術がある。
【特許文献１】特開２００６−０３４２４６号公報
【特許文献２】特開平１０−１１３０２６号公報
【発明の開示】
【発明が解決しようとする課題】
【０００４】
しかしながら、特許文献１に記載される農作物収穫機は、収穫した作物を機体の左右一側部の収容部で収容するため、作物を収穫すればするほど機体の左右一側部に重心が偏って機体バランスが悪くなり、機体の直進性を低下させると共に、旋回動作を妨げてしまい、作業能率を低下させてしまうという欠点がある。
【０００５】
また、収容部を機体本体から大幅にオーバーハングさせているため、機体左右幅が大きくなり、コンパクトに機体を構成できないという欠点がある。
そして、僅かに機体が傾斜するだけでも、オーバーハングしている収容部が畝等にぶつかってしまうため、機体の損傷が多くなってしまうという欠点がある。
【０００６】
さらに、作物が満載された収容袋を排出するには、収容部の支持台を前傾させてから機体を後進させる必要があり、排出中は収穫作業を停止しなければならないと共に、収容袋を付け替えた後は収穫作業を停止した位置まで戻らねばならず、作業能率を低下させるという欠点がある。
【０００７】
また、特許文献２に記載される農作物収穫機は、収穫した作物の茎葉を切断して下方に落下させた後、一度後方に搬送してから左右方向に汲上搬送をし、再び後方に向けて搬送を行うため、機体の前後長さが長くなってしまうという欠点がある。
【０００８】
さらに、収容部は機体後部のフレームに取り付けて構成されているため、収容袋に作物が収容されて、後部に荷重がかかるにつれて、重心が機体後部に集中するため機体前方が浮き上がりやすくなり、安定した走行ができず、作業効率が低下してしまうという欠点がある。
【課題を解決するための手段】
【０００９】
本発明は、上記の課題を解決するために次の技術的手段を講じた。
請求項１記載の発明は、機体下部に機体を前後進させる走行部（Ａ）を設け、機体の左右一側部に圃場から作物（Ｘ）を引き抜き斜め後上方に挟持搬送する収穫部（Ｃ）を設け、該収穫部（Ｃ）の後部下方位置に収穫部Ｃより落下してくる作物（Ｘ）を受けて左右他側部に搬送する第一搬送部（Ｄ）を機体左右方向に設け、機体の左右他側部に、伸縮部材（５２）の伸縮によって傾斜角度を変更自在な第二搬送部（Ｅ）と収穫された作物（Ｘ）を収容する収容部（Ｆ）と操縦部（Ｂ）とを設け、該第二搬送部（Ｅ）は後上り傾斜姿勢で機体前後方向に設け、その搬送始端部を第一搬送部（Ｄ）の搬送終端部から作物（Ｘ）を受け取れる位置に配置し、該収容部（Ｆ）は揺動機枠（５９）を回動軸（６０ａ）を回動支点として上下方向に揺動可能に本体機枠（９）に取り付け、該揺動機枠（５９）の下部に転輪（６５）を取り付けて構成し、第二搬送部（Ｅ）の後方に配置したことを特徴とする農作物収穫機とした。
【００１０】
従って、機体の左右一側部に収穫部（Ｃ）を設け、左右他側部に操縦部（Ｂ）と第二搬送部（Ｅ）と収容部（Ｆ）とを設けることによって、機体に操縦者及び作業者が搭乗し、収容体（６３）に収容される作物（Ｘ）の重量が変化しても機体の左右バランスが機体全体としてよく、走行や旋回がスムーズにできる。
【００１１】
そして、収容体（６３）に収容される作物（Ｘ）の荷重は、本体機枠（９）に回動軸（６０ａ）で回動自在に取り付けられて、下部を転輪（６５）で支持された揺動機枠（５９）にて受けられるため、作物（Ｘ）を大量に収容しても重心が機体後方に偏って機体前方が浮き上がることが防止され、作業の安全性が向上する。
【００１２】
請求項２記載の発明は、収容部（Ｆ）は揺動機枠（５９）に収容体（６３）を支持する支持台（６４）を左右回動軸（６２ａ，６２ａ）で回動自在に設け、該支持台（６４）を伸縮部材（６１）によって後方が下方傾斜する構成としたことを特徴とする請求項１記載の農作物収穫機とした。
【００１３】
従って、請求項１の作用に加え、支持台（６４）の後方が下方傾斜するように設けられているため、該支持台（６４）の後方を下方傾斜させて機体を前進させると収容体（６３）が機外に下ろされるので、収穫作業をしながら収容体（６３）の交換作業を行うことができる。
【００１４】
請求項３記載の発明は、収穫部（Ｃ）の掘取挟持帯（１９，１９）の前後長さ（Ｌ１）を、収容部（Ｆ）の支持台（６４）の前後長さ（Ｌ２）よりも長くしたことを特徴とする請求項1又は２記載の農作物収穫機とした。
【００１５】
従って、請求項１又は２の作用に加え、収穫部（Ｃ）の左右掘取挟持体（１９，１９）の長さ（Ｌ１）が収容部（Ｆ）の支持台（６４）の長さ（Ｌ２）よりも長いことによって、支持台（６４）から収容体（６３）が圃場等に下ろされるまでの機体の前進距離は、収穫部（Ｃ）が圃場から作物（Ｘ）を引き抜き搬送して茎葉を切断するまでの機体の前進距離よりも短くなるので、収穫作業をしながらでも収容体（６３）を下ろして新しい収容体（６３）に交換することができる。
【００１６】
請求項４記載の発明は、支持台（６４）の後方を傾斜させると、第二搬送部（Ｅ）の搬送装置（５０）の動作を停止させる停止部材（６７）を設けたことを特徴とする請求項２又は３記載の農作物収穫機とした。
【００１７】
従って、請求項２又は３の作用に加え、支持台（６４）の後方を下方傾斜させると、停止部材（６７）によって第二搬送部（Ｅ）の搬送装置（５０）の動作が停止するため、搬送される作物（Ｘ）を搬送装置（５０）に貯留しておくことができるので、収穫作業をしながらでも収容体（６３）の交換作業をすることができる。
【発明の効果】
【００１８】
請求項１記載の発明によれば、機体の左右一側部に収穫部（Ｃ）が設けられると共に、左右他側部に操縦部（Ｂ）と第二搬送部（Ｅ）と収容部（Ｆ）が設けられていることによって、機体に搭乗する操縦者や作業者、及び収容体（６３）に収容される作物（Ｘ）の荷重がかかっても機体のバランスが安定し易いので、走行や旋回がスムーズにでき、作業能率が向上する。
【００１９】
また、収穫部（Ｃ）から作物（Ｘ）の茎葉が切断されて落下してくる位置に、作物（Ｘ）を機体他側部に向けて搬送する第一搬送部（Ｄ）を設けると共に、第二搬送装置（Ｅ）の搬送始端部が該第一搬送部（Ｄ）の搬送終端部から作物（Ｘ）を受ける位置に設けることによって、作物（Ｘ）の搬送経路が短くなり、機体をコンパクトに構成することができる。
【００２０】
さらに、本体機枠（９）に回動軸（６０ａ）を回動支点として揺動機枠（５９）を上下方向に揺動自在に設けると共に、該揺動機枠（５９）の下部に転輪（６５）を設けることによって、収容体（６３）に収容される作物（Ｘ）の荷重は下部を転輪（６５）で支持された揺動機枠（５９）によって受けられて、作物（Ｘ）を大量に収容しても、重心が機体後方に偏って機体前方が浮き上がることが防止されるので、作業の安全性が向上すると共に、コンパクトな機体でありながら大量の作物を収容することができる。
【００２１】
請求項２記載の発明によれば、請求項１記載の発明の効果に加えて、支持台（６４）を伸縮部材（６１）によって後方が下方傾斜するように構成していることにより、支持台（６４）の後方を下方傾斜させて機体を前進させると収容体（６３）が機体後方に下ろされるため、収穫作業を続けながら収容体（６３）の交換作業を行うことができ、作業能率が向上する。
【００２２】
請求項３記載の発明によれば、請求項１又は２記載の発明の効果に加えて、収穫部（Ｃ）の左右掘取挟持体（１９，１９）の長さ（Ｌ１）が収容部（Ｆ）の支持台（６４）の長さ（Ｌ２）よりも長いことによって、左右掘取挟持体（１９，１９）が圃場から作物（Ｘ）を引き抜き搬送している間に、支持台（６４）から収容体（６３）が圃場等に下ろされるため、収穫作業を続けながら収容体（６３）の交換作業を行うことができ、作業能率が向上する。
【００２３】
請求項４記載の発明によれば、請求項２又は３記載の発明の効果に加えて、支持台（６４）を下方傾斜姿勢にすると停止部材（６７）によって第二搬送部（Ｅ）の搬送装置（５０）の動作が停止する構成としたことによって、搬送されてくる作物（Ｘ）を搬送装置（５０）に留めておくことができるので、収容体（６３）を下ろしながら収穫作業を続けても、作物（Ｘ）が収容部（Ｆ）まで搬送されてくることはないので、収容体（６３）が交換し易くなるため、より作業能率が向上する。
【発明を実施するための最良の形態】
【００２４】
本発明の実施の形態について説明する。
図１〜３に示すように、実施例の一つとして示す農作物収穫機の一種である人参収穫機は、機体を走行させる走行部Ａと、機体の操縦者が搭乗する操縦部Ｂと、機体左右一側部に設けて圃場から人参を引き抜いて後方に搬送し、茎葉を切断して人参の根部を収穫する収穫部Ｃと、該収穫部Ｃの後部から落下した人参の残葉を処理しながら機体左右他側部に搬送する第一搬送部Ｄと、該第一搬送部Ｄから搬送される人参を引き継いで機体後部に搬送する第二搬送部Ｅと、該第二搬送部にて搬送された人参を収容する収容袋６３を設置する収容部Ｆとから構成される。以下、各部の詳細を具体的に記載する。
【００２５】
まず、走行部Ａの構成について説明する。
機体前部側の左右駆動スプロケット２，２と機体後部側の左右転輪３，３と、該左右駆動スプロケット２，２と左右転輪３，３との間に取り付けた転輪４・・・の周りに左右ベルト５，５を巻き掛けて左右一対のクローラ１Ｌ，１Ｒを構成する。そして、該左右クローラ１Ｌ，１Ｒの左右駆動スプロケット２，２を、エンジン６の動力が伝動される油圧ミッション７から左右両側に延出させた左右ドライブシャフト８，８に取り付け、一定の左右間隔を設けて左右クローラ１Ｌ，１Ｒをクローラフレーム９に取り付けている。
【００２６】
次に、操縦部Ｂの構成について説明する。
機体の右側部にフレーム１０を取り付け、該フレーム１０上には操縦者座席１２を取り付けると共に、機体前側に操縦パネル１３を取り付ける。そして、該フレーム１０に機体の前後進及び走行速度を切り換える変速操作レバー１４を取り付けると共に、操縦パネル１３には、機体の左右旋回操作及び収穫部Ｄの作業高さを操作する操作レバー１５を取り付けている。
【００２７】
上記のように、変速操作レバー１４や操作レバー１５のような、１本で複数の操作を行える操縦部材を設けることによって、機体の操縦が容易になるため操縦者の作業を軽減することができる。
【００２８】
次に、収穫部Ｃの構成について説明する。
左右フレーム１６，１６の機体前側に左右従動プーリ１７，１７を軸架し、機体後側に左右駆動プーリ１８，１８を軸架し、該左右従動プーリ１７，１７と左右駆動プーリ１８，１８との間に人参を引き抜き機体後部へと搬送する左右挟持搬送ベルト１９，１９を巻き掛けると共に、テンションローラ２０・・・によって該左右挟持搬送ベルト１９，１９の機体内側面を互いに圧接させる。そして、左右横軸２３を回動支点として上下方向に回動自在なフレーム２２を取り付け、該フレーム２２の後端部に左右駆動シャフト２１，２１を取り付けると共に、前記左右駆動プーリ１８，１８を左右駆動シャフト２１，２１に取り付ける。また、前記クローラフレーム９とフレーム２２とをシリンダ２４で連結し、該油圧シリンダ２４を操縦部Ｂの操作レバー１５で伸縮させられるように取り付ける。
【００２９】
また、収穫部Ｃの前方には、前記エンジン６の動力を伝動する駆動シャフト２５によって駆動される横引起し装置２７と、該横引起し装置２７の前部に設ける分草杆２６と、横引起し装置２７から駆動力を伝動されて駆動される縦引起し装置２８と、ハンドル２９を回すことによって上下伸縮させられる伸縮軸３０に取り付けられた転輪３１と、振動フレーム３２に取り付けられた振動ソイラ３３が設けられている。
【００３０】
そして、収穫部Ｃの搬送途中の下方には、人参の尻尾部を切断する切断装置６５が設けられている。
さらに、収穫部Ｃの後方には、挟持搬送ベルト１９，１９によって搬送されてきた人参を引き継ぎ、人参の茎葉の切断位置を揃える位置揃え装置３４，３４と、茎葉を挟持して機体後方まで搬送する茎葉搬送装置３５，３５と、茎葉を切断する切断装置３６，３６と、該切断装置３６，３６によって切断された茎葉を圃場に排出する排葉シュータ３７が設けられている。
【００３１】
上記のように、機体前側に分草杆２６を備える横引起し装置２７と、縦引起し装置２８を設けることによって、圃場に倒伏した人参の茎葉を掻き上げながら収穫作業ができ、収穫する人参の視認性が向上するので引き抜き位置が合わせやすく、作物の抜き残しが減少するため作業能率が向上する。また、人参に振動ソイラ３３等が当たって傷つくことが減るため、人参の商品価値を向上させることができる。
【００３２】
そして、クローラフレーム９と、左右横軸２３を回動支点として上下方向に回動自在なフレーム２２を繋ぐシリンダ２４を、操縦部Ｂの操作レバー１５を操作することによって伸縮させられるように構成することによって、操作レバー１５の操作によって、収穫部Ｃ全体の上下高さを調節することができるから、収穫部Ｃの挟持始端部の位置を上下方向に調節して、圃場に植生する人参の適切な引き抜き高さに合わせて挟持始端部の位置を調節することができ、作物の抜き残しが減少して作業能率が向上する。
【００３３】
また、旋回時に収穫部Ｃを上昇させておくと、収穫部Ｃの下端部が圃場に接触しにくくなるため旋回動作がスムーズに行われ、作業能率が向上する。
さらに、収穫部Ｃの終端部に設ける左右切断装置３６，３６で人参から切断された排葉を圃場に排出する排葉シュータ３７が、既掘り側（人参を収穫した側）に茎葉を排出するように下方傾斜姿勢に設けられていることによって、排出された茎葉が未掘り側（人参を収穫していない側）の人参の上に落ち、排葉が左右挟持搬送ベルト１９，１９や左右従動プーリ１７，１７等に絡み付いて収穫部Ｃを停止させ、収穫作業を妨げることが少なくなるため、作業能率が向上すると共に、人参の上に落下した排葉が収穫する人参の視認性を妨げ、人参に振動ソイラ３３等が当たって傷つくことが減るため、人参の商品価値を向上させることができる。
【００３４】
次に、第一搬送部Ｄの構成について説明する。
左右ローラ３８，３８に弾性体ベルト３９を無端状に巻き掛け、前記フレーム２２内から動力を受けて回転する残葉処理ローラ４０を設けて構成されるクリーンコンベア４１を、収穫部Ｃの切断装置３６，３６で茎葉を切断された人参の根部が落下する位置に設ける。そして、機体左右一側部にローラ４２を設け、左右他側部側にローラ４３を設けると共に、該ローラ４２と４３とに弾性体ベルト４４を巻き掛けることによって構成される横送りコンベア４５をクリーンコンベア４１に隣接させて設けて、該横送りコンベア４５にて切断装置３６，３６よりも前方で落下する人参や、クリーンコンベア４１から搬送されてくる人参を機体他側部へと搬送する。
【００３５】
上記のように、クリーンコンベア４１及び横送りコンベア４５は弾性体ベルト３９及び４４を巻き掛けて構成されているため、収穫部Ｃの左右切断装置３６，３６で茎葉を切断されて落下してくる人参が落下の衝撃で傷付くことが少なくなり、人参の商品価値が向上する。
【００３６】
また、クリーンコンベア４１に設ける残葉処理ローラ４０が、左右切断装置３６，３６で切り残された人参の残葉をちぎり取りながら横送りコンベア４５に人参を搬送するため、人参の商品価値が向上すると共に、収穫作業後に人手で残葉を切除する作業を省略することができるので作業能率が向上する。
【００３７】
さらに、横送りコンベア４５の始端部がクリーンコンベア４１の始端部と略同じ位置にあるため、左右切断装置３６，３６に搬送される前に落下した人参を受けることができ、また残葉処理ローラ４０に到達する前にクリーンコンベア４１から転がってきた人参を第二搬送部Ｅに向けて搬送することができ、作業能率が向上する。
【００３８】
次に、第二搬送部Ｅの構成について説明する。
前記収穫部Ｃのフレーム２２に左右カバーフレーム４６，４９を取り付け、該左右カバーフレーム４６，４９の前端部に回動軸９０を取り付けると共に，該回動軸９０にローラ４７ａを軸着する。そして、該左右カバーフレーム４６，４９の後端部にローラ４７ｂを取り付け、該ローラ４７ａ，４７ｂに弾性体ベルト４８を巻き掛けて搬送コンベア５０を構成する。また、前記左右カバーフレーム４６，４９間に繋ぎフレーム５１を取り付け、該繋ぎフレーム５１と回動軸６０ａを回動支点として上下に回動可能に取り付けられる揺動フレーム５９との間に、搬送コンベア５０の傾斜角度を変更するシリンダ５２を取り付ける。そして、前記クローラフレーム９上にシリンダ５２を操作するためのペダル５３を取り付け、該ペダル５３近傍に作業者座席５４を取り付けると共に、カバーフレーム４９にシリンダ操作スイッチ５５を取り付ける。さらに、機体前側のローラ４７ａの下方に駆動モーター６６を取り付け、該ローラ４７ａと駆動モーター６６にそれぞれプーリ６８ａ，６８ｂを取り付けると共に、該両プーリ６８ａ，６８ｂ間にベルト６９を設けることによって、第二搬送部Ｅが構成される。
【００３９】
上記のように、作業者座席５４の近傍に搬送コンベア５０の傾斜角度を変更するシリンダ５２を操作するためのペダル５３と操作スイッチ５５を設けることによって、作業者は移動することなく人参の収容状態に応じてペダル５３もしくは操作スイッチ５５を操作することで搬送コンベア５０の傾斜角度を変更できるので、作業者の労力を軽減することができる。
【００４０】
次に、収容部Ｆの構成について説明する。
第二搬送部Ｅの左右カバーフレーム４６，４９の後端部に左右アーム５６，５６を取り付け、該左右アーム５６，５６を連結棒５７で連結すると共に、該連結棒５７の左右両端に左右吊り下げアーム５８，５８を取り付け、吊り下げ体９１を構成する。そして、クローラフレーム９の後方に、揺動フレーム５９を回動軸６０ａを回動支点としてその後方が上下方向に回動可能に取り付けると共に、該揺動フレーム５９に左右支柱６０，６０を取り付ける。また、人参を収容する収容袋６３を載置する後方が下方傾斜するバケット６４に左右支持フレーム６２ａ，６２ａを取り付けると共に、該左右支持フレーム６２ａ，６２ａを揺動フレーム５９，５９の後部に回動自在に取り付ける。さらに、該左右支持フレーム６２ａ，６２ａ上に左右支柱６２，６２を取り付けると共に、前記左右支柱６０，６０と左右支柱６２，６２とを左右シリンダ６１，６１で連結する。そして、前記左右支持フレーム６２ａ，６２ａの一方に、前記駆動モーター６６の動作を切り換えるスイッチ６７を取り付けると共に、揺動フレーム５９の下部に転輪６５を右クローラ１Ｒ寄りに取り付けることによって、収容部Ｆが構成される。なお、左右シリンダ６１，６１はスプリングなどに置き換えてもよい。
【００４１】
上記のように、搬送コンベア５０を構成する左右カバーフレーム４６，４９の後端部に、収容袋６３を吊り下げる吊り下げ体９１を構成する左右アーム５６，５６が取り付けられていることによって、搬送コンベア５０の傾斜角度を変えると、収容袋６３の吊り下げ高さも追従して変わるようにすることができる。例えば、搬送コンベア５０の傾斜角度を小さくすると、吊り上げ高さも追従して低くなるため、搬送コンベア５０から排出される人参の落下距離が短くなり、落下の衝撃で人参が傷付きにくくなるので、人参の商品価値を向上させることができる。また、搬送コンベアの傾斜角度を大きくすると、吊り上げ高さも追従して高くなり、収容袋６３が引き伸ばされて収容量が増加するため、より多くの人参を収容することができ、作業能率が向上する。
【００４２】
また、回動軸６０ａを回動支点にしてその後部が上下方向に回動可能な揺動フレーム５９と、該揺動フレーム５９の下部に転輪６５とを取り付けることによって、収容袋６３に人参が収容され、収容袋６３の重量が重くなっても、上下方向に揺動する揺動フレーム５９にて重量を受けて分散させられるため、機体後方に重量が集中しても機体前方が浮き上がりにくくなるので作業の安全性が向上すると共に、収容袋６３一袋あたりの収容量が増えるので収容袋６３の交換作業の回数を減らすことができ、作業能率が向上する。
【００４３】
そして、左右支柱６０，６０と左右支柱６２，６２とを左右シリンダ６１，６１で連結し、バケット６４を後方が下方傾斜するように設けることによって、左右吊り下げアーム５８，５８から収穫袋６３を外し、バケット６４の後方を下方傾斜させて機体を前進させることによって、収容袋６３を機体後方に排出することができる。
【００４４】
さらに、収穫部Ｃの左右挟持搬送ベルト１９，１９の挟持始端部から位置揃え装置３４，３４の後部までの距離Ｌ１が、バケット６４の長さＬ２よりも長いため、左右挟持搬送ベルト１９，１９が圃場から人参を引き抜き搬送して茎葉を切断する前に、バケット６４から収容袋６３が圃場等に下ろされるため、収穫作業を続けながら収容袋６３の交換作業を行うことができ、作業能率が向上する。
【００４５】
また、左右支持フレーム６２ａ，６２ａに、バケット６４が一側方に下方傾斜するとオフになり、搬送コンベア５０の駆動モーター６６を停止させるスイッチ６７を設けることによって、搬送されてくる人参を搬送コンベア５０に貯留することができるので、収容袋６３を下ろしながら収穫作業を続けても、人参は搬送コンベア５０に貯留されるので、収容袋６３の交換作業が容易になり、より作業能率が向上する。
【００４６】
以下、本件人参収穫機の別実施例を説明する。
図４で示すように、転輪６５を右クローラ１Ｒの後方に設ける構成とすることによって、該転輪６５は右クローラ１Ｒが踏み固めた圃場の上を通過できるため、土壌からの抵抗が小さく、機体の走行姿勢が安定する。
【００４７】
また、揺動フレーム５９の揺動も適正に行われるため、機体前方が浮き上がりにくくなるので作業の安全性を向上させることができる。
図５で示すように、クローラフレーム９上に左右支柱７０，７０を設けると共に、揺動フレーム５９の左右支柱６０，６０との間に左右スプリング７１，７１を設けて収容部Ｆを浮き上がらせる方向に付勢することによって、バケット６４に荷重がかかるにつれて収容部Ｆが下降するようになる。収容量が少ない時には収容部Ｆの転輪６５は接地しないため、旋回動作がスムーズに行われるため作業能率が向上する。
【００４８】
また、図６で示すように、前記左右スプリング７１，７１の代わりに左右シリンダ７２，７２等で左右支柱６０，６０と左右支柱７０，７０を繋ぎ、収穫部Ｃの上下動操作に連動させることによって、旋回動作時に収穫部Ｃを上昇させると収容部Ｆも連動して上昇するので旋回動作をスムーズにすることができると共に、収穫作業時は収容部Ｆは下降させて転輪６５を接地させることによって、走行姿勢を安定させられるため、作業能率と安全性を共に高めることができる。
【００４９】
図７で示すように、収容部Ｆのバケット６４の高さを、クローラフレーム９及び揺動フレーム５９よりも低い位置に設けることによって、収容袋６３をより大容量のものにすることができる。このため、収容袋６３一袋あたりの収容量が増えるので、収容袋６３の交換作業の回数を減らすことができ、作業能率が向上する。
【００５０】
図８、図９で示すように、収容部Ｆに近い方の右クローラ１Ｒを、バケット６４の下方に潜り込むように延長して、揺動フレーム５９と右クローラ１Ｒとを左右支持アーム９８，９８を介して連結することによって、右クローラ１Ｒの後部が転輪６５の代わりをするため、機体のバランスが向上する。これによって走行姿勢が安定するので人参の掘り取り位置を合わせやすくなるため、作業能率が向上する。
【００５１】
図１０で示すように、作業者座席５４を機体後方に向けられるように回動及び固定自在に設け、該作業者座席５４を機体後方に向けたときには、機体左方向に向けているときに比べてその外側端が機体内側に収まるようにすることによって、作業者の重量が機体内寄りにかかるため機体のバランスが安定すると共に、機体からのオーバーハングが少なくなるため、作業者の安全性が向上する。また、搬送コンベア５０は上方傾斜姿勢で機体後方に人参を搬送するように設けられているため、作業者は機体後方を向いても通常の作業位置と同じように人参の選別作業を行うことができる。
【００５２】
図１１，１２で示すように、第二搬送部Ｅを次のように構成することができる。左右カバー７３，７３の前後両端部に左右駆動スプロケット７４，７４と左右偏心スプロケット７５，７５を設けると共に、該左右駆動スプロケット７４，７４間及び左右偏心スプロケット７５，７５間にシャフト９５及び９６を設ける。そして、該左右駆動スプロケット７４，７４と左右偏心スプロケット７５，７５との間に左右チェーン７６，７６を巻き掛けると共に、該左右チェーン７６，７６の間に複数のローラ７７・・・を等間隔に回動自在に取り付けて、スラットコンベア７８を構成する。そして、該スラットコンベア７８の内側空間部に左右抵抗体７９，７９をローラ７７・・・の底部に接触するように設けることによって、ローラ７７・・・は該左右抵抗体７９，７９によって回転させられるので、人参が回転しながらスラットコンベア７８上を搬送されるため、作業者は人参の全体を見ながら選別作業ができ、傷物や奇形を取り除きやすくなるため、作物の商品価値が向上する。
【００５３】
また、従動側に前記左右偏心スプロケット７５，７５を設けていることによって、スラットコンベア７８は揺動しながら作物を搬送するため、人参に付着した泥土が落ちやすく、泥土に隠れていた傷や奇形を見つけて取り除きやすくなるため、作物の商品価値が向上する。
【００５４】
図１３，１４で示すように、人参の茎葉を搬送する左右搬送装置３５，３５の機体後方側に左右延長フレーム７９，７９を延長し、該左右延長フレーム７９，７９の後端部に左右プーリ８０，８０を設け、左右搬送装置３５，３５のベルトを延長すると共に、機体内側部のフレーム７９の延長部７９ａにテンションプーリ８１を取り付けて、左右切断装置３６，３６で切断された茎葉を左右搬送装置３５，３５機体後部まで搬送し、既掘り側に排出するようにする。
【００５５】
これによって、既掘り側（人参を収穫した側）に茎葉を排出するように下方傾斜姿勢に設けられていることによって、排出された茎葉が未掘り側（人参を収穫していない側）の人参の上に落ち、排葉が左右挟持搬送ベルト１９，１９や左右従動プーリ１７，１７等に絡み付いて収穫部Ｃを停止させ、収穫作業を妨げることが少なくなるため作業能率が向上すると共に、人参の上に落下した排葉が収穫する人参の視認性を妨げ、人参に振動ソイラ３３等が当たって傷つくことが減るため、人参の商品価値を向上させることができる。また、排葉シュータ３７が不要になるため、コストダウンを図ることができる。
【００５６】
また、機体内側のフレーム７９を固定しておき、機体外側のフレーム７９にレバー８２を取り付けて引くことによって、機体外側部の延長部分は茎葉搬送装置３５のプーリ９３を回動支点として機体外側部に向けて展開回動する構成にすると、延長部分の終端部よりも前方で茎葉を下方に排出することができる。このとき、クローラフレーム９に載置台８３を取り付け、該載置台８３上にコンテナ８４を載置しておくことによって、落下してくる茎葉をコンテナ８４で回収することができる。
【００５７】
収穫作業中に茎葉を回収していることによって、圃場に落下した茎葉を回収する作業が省略されるため、作業者の労力を軽減することができる。
図１５〜図１７で示すように、振動ソイラ３３の先端部に、両側面に凹部８６ａ，８６ｂを設けたチップ８５を、該凹部８６ａ，８６ｂ内でボルト８７とナット８８によって着脱自在に取り付けられるようにする。
【００５８】
これによって、チップ８５が磨耗などによって損傷し、圃場の土を軟化させる効果が弱まってきた場合、ボルト８７とナット８８を取り外すだけでチップ８５を振動ソイラ３３から取り外せるので、新しいチップ８５への交換が容易になり、メンテナンス性が向上する。
【００５９】
また、ボルト８７とナット８８は凹部８６ａ，８６ｂの内側に設けられるため、人参を傷付けにくく、人参の商品価値の低下を防止することができる。
【図面の簡単な説明】
【００６０】
【図１】農作物収穫機の平面図である。
【図２】農作物収穫機の左側面図である。
【図３】農作物収穫機の右側面図である。
【図４】農作物収穫機の別実施例の平面図である。
【図５】農作物収穫機の別実施例の右側面図である。
【図６】農作物収穫機の別実施例の右側面図である。
【図７】農作物収穫機の別実施例の右側面図である。
【図８】農作物収穫機の別実施例の平面図である。
【図９】農作物収穫機の別実施例の右側面図である。
【図１０】農作物収穫機の別実施例の平面図である。
【図１１】第二搬送部の別実施例の平面図である。
【図１２】第二搬送部の別実施例の側面図である。
【図１３】農作物収穫機の別実施例の平面図である。
【図１４】農作物収穫機の別実施例の左側面図である。
【図１５】振動ソイラの別実施例の側面図である。
【図１６】振動ソイラの要部の正面図である。
【図１７】振動ソイラの要部の斜視図である。
【符号の説明】
【００６１】
１９，１９    掘取挟持帯
５０    搬送装置
５９    揺動機枠
６１，６１    伸縮部材
６２ａ，６２ａ    回動軸
６４    支持台
６５    転輪
６７    停止部材
Ａ    走行部
Ｂ    操縦部
Ｃ    収穫部
Ｄ    第一搬送部
Ｅ    第二搬送部
Ｆ    収容部
Ｘ    作物
【図１】
2008005812.tif 000003
【図２】
2008005812.tif 000004
【図３】
2008005812.tif 000005
【図４】
2008005812.tif 000006
【図５】
2008005812.tif 000007
【図６】
2008005812.tif 000008
【図７】
2008005812.tif 000009
【図８】
2008005812.tif 000010
【図９】
2008005812.tif 000011
【図１０】
2008005812.tif 000012
【図１１】
2008005812.tif 000013
【図１２】
2008005812.tif 000014
【図１３】
2008005812.tif 000015
【図１４】
2008005812.tif 000016
【図１５】
2008005812.tif 000017
【図１６】
2008005812.tif 000018
【図１７】
2008005812.tif 000019